(57)【特許請求の範囲】
【請求項１】
水循環式コンプレッサにおける瞬間停電（以下、瞬停と略称する）発生後の復電において長時間の正常運転立上りまでの時間を短縮するための方法であって、該方法は、瞬停発生時において、その瞬停時間に対応して冷却水の供給を一時停止することを特徴とする水循環式コンプレッサにおける瞬停時の復帰時間短縮方法。
【請求項２】
瞬停時間が数１０分の１秒の場合において、潤滑水停止時間はその約１０倍であることを特徴とする請求項１に記載の水循環式コンプレッサにおける瞬停時の復帰時間短縮方法。
【発明の詳細な説明】
【技術分野】
【０００１】
本発明は、水循環式コンプレッサにおける瞬停時の復帰時間短縮方法に関する。
【背景技術】
【０００２】
水循環式のコンプレッサとしては図４に示すものが一般的な構成である。即ち、モータ５で駆動される圧縮機本体４には空気容量調整弁８を介してエアクリーナ７を通過した空気（外気）が供給される。また、圧縮機本体４には潤滑水の水が供給され、この潤滑水は給水供給部９からのものとレシーバタンク１０内に分離蓄溜された水１１をクーラ１２やフィルタ６を通し電磁弁２を介して供給されるものがある。コンプレッサで圧縮された圧縮空気はレシーバタンク１０で気水分離され、空気は空気使用側１３に送気され、分離された水はレシーバタンク１０に溜る。なお、給水供給部９からの水路には絞り弁３が設けられている。
【０００３】
運転時において何等かの都合により停電が生ずると当然ながらモータ５は停止し、同時にコンプレッサの各構成部への通電は停止する。潤滑水は前記のように電磁弁２を介して圧縮機本体４に送水されるため、停電時には送水は停止するが復電時に直ちに送水されることになる。長時間の停電の場合は後に説明する本発明の方法は適用されないが、例えば０．２秒ほどの瞬間停電（瞬停）の場合には次のような問題点がある。
【０００４】
瞬停が生じた場合、前記のように圧縮機本体４は停止するが、瞬停解除の場合は圧縮機本体４は運転を開始しようとする。しかしながら、瞬停が生じた場合の再起動のためには残圧を抜く必要があり、この作業に数分かかる。更に、復電時には潤滑水が供給されるため、潤滑水過剰となり、再起動が難しくなる。
一方、コンプレッサの使用側では瞬停解除後にはすぐにコンプレッサが正常運転に復帰することを望むが従来技術ではその方法がなかった。
【０００５】
図３は従来の瞬停時と復帰時における時間と（電圧，電流，圧力，回転数）との関係を示す線図であり、電流，圧力，回転数とも正常復帰までかなりの時間がかかることがわかる。なお、コンプレッサの瞬停に関する公知技術として、例えば、「特許文献１」が挙げられるが、前記の問題点を解決するものではない。
【特許文献１】特開平６−２４９１５１号（要約）
【発明の開示】
【発明が解決しようとする課題】
【０００６】
前記のように、瞬停が生じた場合において、従来技術では復電があっても正常運転に復帰するため数分がかかるのが通常であった。一方、コンプレッサは使用側にとっては重要な圧縮空気送気手段であり、この長時間の停止は使用側に大きな被害を与える場合が多い。よって使用側は瞬停が生じてもすぐに正常運転に復帰することを強く要請している。
【０００７】
本発明は、以上の事情に鑑みて発明されたものであり、瞬停時において復電後直ちに正常運転ができる水循環式コンプレッサにおける瞬停時の復帰時間短縮方法を提供することを目的とする。
【課題を解決するための手段】
【０００８】
本発明は、以上の目的を達成するために、請求項１の発明は、水循環式コンプレッサにおける瞬間停電（以下、瞬停と略称する）発生後の復電において長時間の正常運転立上りまでの時間を短縮するための方法であって、該方法は、瞬停発生時において、その瞬停時間に対応して潤滑水の供給を一時停止することを特徴とする。
【０００９】
また、請求項２の発明は、瞬停時間が数１０分の１秒の場合において、潤滑水停止時間はその約１０倍であることを特徴とする。
【発明の効果】
【００１０】
本発明の請求項１の水循環式コンプレッサにおける瞬停時の復帰時間短縮方法によれば、瞬停時に潤滑水の送水を所定時間停止することにより、残圧を抜くことなく、圧縮機本体が正常に運転することが確認され、前記使用者側の要請を十分に果たすことができる。
【００１１】
また、請求項２の水循環式コンプレッサにおける瞬停時の復帰時間短縮方法によれば、瞬停の時間が数１０分の１程度の場合に潤滑水の供給停止時間がその１０倍程度であれば正常運転にすぐに復帰することが実証されている。
【発明を実施するための最良の形態】
【００１２】
以下、本発明の水循環式コンプレッサにおける瞬停時の復帰時間短縮方法の実施の形態を図面を参照して詳述する。
図１は、本発明の水循環式コンプレッサにおける瞬停時の復帰時間短縮方法を実施するための構成図であり、図４に示した全体構成の内の電磁弁２まわりの模式的構成を示す。
【００１３】
図１に示すように、電磁弁２にはこのＯＮ・ＯＦＦをコントロールするためのコントロール部１が付設される。このコントロール部１は電磁弁２や絞り弁３の開閉を行うものであり、その作動は供給電気のＯＮ・ＯＦＦに同期して行われる。即ち、瞬停があるとコントロール部１は電磁弁２及び絞り弁３を閉止するようにこれ等をコントロールし、瞬停時間に対応して定められて閉止時間後に解放するように構成されている。
【実施例１】
【００１４】
本実施例では瞬停時間は０．２秒であり、潤滑水の停止時間はその１０倍の２秒とした。この条件で図３に示した線図を対応するものが図２に示されている。図２は、横軸に経過時間をとり、縦軸には電圧，電流，圧力，回転数を時間に対応して示したものである。電圧については図２は図３と同じく一定の電圧線図であり、瞬停の時間の所で電圧が約ゼロとなっている。全くゼロでないのはノイズが入るためである。
一方、電流は図３の従来のものに較べて瞬停時から少し遅れた時間ですぐに復帰していることがわかる。また、圧力も瞬停により下降するが従来に較べて圧力復帰の位置ははるかに前の位置にきている。また、回転数も瞬停時に極端に下がるがすぐに上昇し、短時間に復帰することがわかる。
【００１５】
本発明は以上の動作をするものであるが、瞬停時間や潤滑水の停止時間は前記のものに限定するものでないことは勿論である。
【産業上の利用可能性】
【００１６】
本発明は水循環式コンプレッサについて適用されるが、その型式については任意のものでよく、その利用範囲は広い。
【図面の簡単な説明】
【００１７】
【図１】本発明の方法を実施するためのコンプレッサの一部の構成を示す模式的構成図。
【図２】本発明による瞬停時及び復電における電圧，電流，圧力，回転数の復帰状態を示す線図。
【図３】従来のコンプレッサの構成時における電圧，電流，圧力，回転数の復帰状態を示す線図。
【図４】一般的なコンプレッサの概要全体構成図。
【符号の説明】
【００１８】
１    コントロール部
２    電磁弁
３    絞り弁
４    圧縮機本体
５    モータ
６    フィルタ
７    エアクリーナ
８    空気容量調整弁
９    給水供給部
１０  レシーバタンク
１１  水
１２  クーラ
１３  空気使用側
【図１】
0004714554.tif 000002
【図２】
0004714554.tif 000003
【図３】
0004714554.tif 000004
【図４】
0004714554.tif 000005